(57)【特許請求の範囲】
【請求項１】
障子の戸先側に位置する縦框の下端部に装着される縦框用のカバー装置において、
前記縦框の下端開口を介して内部に配設されるインサート部材と、
前記縦框の外表面を覆うカバー部材とを備え、
前記インサート部材は、少なくとも前記縦框の戸先側に位置する戸先框壁の内表面に対向して配置され、かつ前記戸先框壁に設けた挿通孔に対応する部位に装着孔が形成された戸先内壁部を有し、
前記カバー部材は、前記縦框の戸先面を覆う側方カバー部と、前記縦框の下端面を覆う下方カバー部とを有するとともに、前記側方カバー部において前記戸先框壁の挿通孔に対応する部位に係止突部を有したものであり、
前記係止突部は、前記インサート部材の装着孔に挿通される基部と、前記基部の先端部から上方に向けて突出し、前記インサート部材の戸先内壁部に係止される係止部とを有し、
前記縦框の挿通孔及び前記インサート部材の装着孔を介して前記戸先内壁部に前記係止突部を係止させることにより前記カバー部材を前記縦框に支持させたことを特徴とする縦框用のカバー装置。
【請求項２】
障子の戸先側に位置する縦框の下端部に装着される縦框用のカバー装置において、
前記縦框の下端開口を介して内部に配設されるインサート部材と、
前記縦框の外表面を覆うカバー部材とを備え、
前記インサート部材は、少なくとも前記縦框の戸先側に位置する戸先框壁の内表面に対向して配置され、かつ前記戸先框壁に設けた挿通孔に対応する部位に装着孔が形成された戸先内壁部を有し、
前記カバー部材は、前記縦框の戸先面を覆う側方カバー部と、前記縦框の下端面を覆う下方カバー部とを有するとともに、前記側方カバー部において前記戸先框壁の挿通孔に対応する部位に係止突部を有したものであり、
前記縦框の挿通孔及び前記インサート部材の装着孔を介して前記戸先内壁部に前記係止突部を係止させることにより前記カバー部材を前記縦框に支持させ、
前記カバー部材の下方カバー部と前記インサート部材との間には、互いに係止されるサブ係止手段を設けたことを特徴とする縦框用のカバー装置。
【請求項３】
前記サブ係止手段は、前記インサート部材の下面から下方に向けてフック片を突設するとともに、前記カバー部材の下方カバー部にサブ係止部を設けることによって構成し、前記サブ係止部を介して前記インサート部材のフック片に前記下方カバー部を係止させることを特徴とする請求項２に記載の縦框用のカバー装置。
【請求項４】
前記カバー部材には、下枠の上面に接触する止水ヒレ部を設けたことを特徴とする請求項１または請求項２に記載の縦框用のカバー装置。
【請求項５】
請求項１〜請求項４のいずれか一つに記載の縦框用のカバー装置を、障子の戸先側に位置する縦框の下端部に支持させたことを特徴とする障子。
【発明の詳細な説明】
【技術分野】
【０００１】
本発明は、縦框用のカバー装置及び障子に関するものである。
【背景技術】
【０００２】
開口枠に対して吊り元側の縦框をヒンジによって支持させた開き戸では、開口枠に対して障子を開いた場合、戸先側に位置する縦框が開口枠から大きく突出した位置に配置される。このため、この種の開き戸では、戸先側に位置する縦框の下端部にカバー装置が装着されているのが一般的である。カバー装置は、縦框の下面を覆う下方カバー部と、縦框の側面を覆う側方カバー部とを有したもので、ナイロン、ポリプロピレン等の合成樹脂やゴム等の弾性材によって一体に成形されている。側方カバー部には、縦框に対向する面に係止突部が設けられている。係止突部は、挿通孔よりも小さい外形を有した基部と、基部の先端部に挿通孔よりも大きな外形を有するように形成した係止部とを有したものである。このカバー装置は、下方カバー部によって縦框の下面を覆った状態で縦框に形成された挿通孔に係止突部の係止部を圧入させることによって縦框に保持されている。
【０００３】
このように、縦框の下端部にカバー装置を装着した開き戸によれば、小口切りされた縦框の下端部が合成樹脂もしくは弾性材によって覆い隠されることになるため、縦框の下端部に履き物の先端部やズボンの裾が接触した場合にも履き物やズボンに損傷を来す恐れがなくなる（例えば、特許文献１参照）。
【先行技術文献】
【特許文献】
【０００４】
【特許文献１】実用新案登録第２５２６６２３号公報
【発明の概要】
【発明が解決しようとする課題】
【０００５】
ところで、戸先側の縦框に装着したカバー装置に履き物やズボンが接触した場合にも、カバー装置が容易に脱落しないようにするためには、縦框に対するカバー装置の装着力を向上させることが好ましい。例えば、上述したカバー装置にあっては、基部に対してより大きな外形を有するように係止部を構成すれば、縦框への掛かり代が大きく設定されることになる。従って、縦框に対するカバー装置の装着力が高くなり、履き物やズボンが接触した場合にも、カバー装置が脱落する恐れがなくなる。
【０００６】
ここで、基部から大きく突出した係止部を挿通孔に圧入する場合には、側方カバー部に対して係止部の位置を大きく変位できることが好ましい。すなわち、基部の長さを大きく設定すれば、側方カバー部に対する係止部の変形自由度が大きくなるため、係止部を大型化した場合にも、挿通孔への挿入作業を容易に行うことが可能となる。
【０００７】
しかしながら、側方カバー部と係止部との間の基部については、これを縦框の板厚よりも大きな寸法に設定することができない。つまり、挿通孔を通過した係止部をガタ付くことなく縦框に係止させるためには、基部の寸法が縦框の板厚とほぼ同等であることが必須となり、縦框の板厚に対して基部の寸法を大きく設定することができない。このため、側方カバー部に対する係止部の変形自由度が著しく制限され、係止部を大型化した場合には挿通孔への挿入作業が煩雑化する事態を招来する。
【０００８】
本発明は、上記実情に鑑みて、縦框への取付作業を煩雑化することなく、縦框からの脱落を防止することのできる縦框用のカバー装置及びこれを適用した障子を提供することを目的とする。
【課題を解決するための手段】
【０００９】
上記目的を達成するため、本発明に係る縦框用のカバー装置は、障子の戸先側に位置する縦框の下端部に装着される縦框用のカバー装置において、前記縦框の下端開口を介して内部に配設されるインサート部材と、前記縦框の外表面を覆うカバー部材とを備え、前記インサート部材は、少なくとも前記縦框の戸先側に位置する戸先框壁の内表面に対向して配置され、かつ前記戸先框壁に設けた挿通孔に対応する部位に装着孔が形成された戸先内壁部を有し、前記カバー部材は、前記縦框の戸先面を覆う側方カバー部と、前記縦框の下端面を覆う下方カバー部とを有するとともに、前記側方カバー部において前記戸先框壁の挿通孔に対応する部位に係止突部を有したものであり、前記係止突部は、前記インサート部材の装着孔に挿通される基部と、前記基部の先端部から上方に向けて突出し、前記インサート部材の戸先内壁部に係止される係止部とを有し、前記縦框の挿通孔及び前記インサート部材の装着孔を介して前記戸先内壁部に前記係止突部を係止させることにより前記カバー部材を前記縦框に支持させたことを特徴とする。
【００１０】
この発明によれば、装着孔を有したインサート部材を縦框の内部に配設しているため、カバー部材の係止突部が縦框の挿通孔及びインサート部材の装着孔を介して戸先内壁部に係止されてカバー部材が縦框に支持される。
【００１２】
この発明によれば、係止突部の係止部をインサート部材の装着孔を介して戸先内壁部に係止することによってカバー部材が縦框に支持される。
【００１３】
また、本発明に係る縦框用のカバー装置は、障子の戸先側に位置する縦框の下端部に装着される縦框用のカバー装置において、前記縦框の下端開口を介して内部に配設されるインサート部材と、前記縦框の外表面を覆うカバー部材とを備え、前記インサート部材は、少なくとも前記縦框の戸先側に位置する戸先框壁の内表面に対向して配置され、かつ前記戸先框壁に設けた挿通孔に対応する部位に装着孔が形成された戸先内壁部を有し、前記カバー部材は、前記縦框の戸先面を覆う側方カバー部と、前記縦框の下端面を覆う下方カバー部とを有するとともに、前記側方カバー部において前記戸先框壁の挿通孔に対応する部位に係止突部を有したものであり、前記縦框の挿通孔及び前記インサート部材の装着孔を介して前記戸先内壁部に前記係止突部を係止させることにより前記カバー部材を前記縦框に支持させ、前記カバー部材の下方カバー部と前記インサート部材との間には、互いに係止されるサブ係止手段を設けたことを特徴とする。
【００１４】
この発明によれば、カバー部材の側方カバー部が係止突部をインサート部材の戸先内壁部に係止することによって縦框に支持され、かつ下方カバー部がサブ係止手段によってインサート部材に係止される。
【００１５】
また、本発明は、上述した縦框用のカバー装置において、前記サブ係止手段は、前記インサート部材の下面から下方に向けてフック片を突設するとともに、前記カバー部材の下方カバー部にサブ係止部を設けることによって構成し、前記サブ係止部を介して前記インサート部材のフック片に前記下方カバー部を係止させることを特徴とする。
【００１６】
この発明によれば、カバー部材の側方カバー部と下方カバー部とが互いに異なる方向に係止される。
【００１７】
また、本発明は、上述した縦框用のカバー装置において、前記カバー部材には、下枠の上面に接触する止水ヒレ部を設けたことを特徴とする。
【００１８】
この発明によれば、止水ヒレ部により下枠との間において止水することができる。
【００１９】
また、本発明に係る障子は、上述したいずれかに記載の縦框用のカバー装置を、障子の戸先側に位置する縦框の下端部に支持させたことを特徴とする。
【００２０】
この発明によれば、装着孔を有したインサート部材を縦框の内部に配設しているため、カバー部材の係止突部が縦框の挿通孔及びインサート部材の装着孔を介して戸先内壁部に係止されてカバー部材が縦框に支持される。
【発明の効果】
【００２１】
本発明によれば、装着孔を有したインサート部材を縦框の内部に配設しているため、カバー部材の係止突部が縦框の挿通孔及びインサート部材の装着孔を介して戸先内壁部に係止されてカバー部材が縦框に支持される。従って、側方カバー部と係止突部との間に縦框とインサート部材の戸先内壁部との板厚を合計した寸法の距離を確保することができる。これにより、側方カバー部に対して係止突部の変形自由度が大きくなり、係止突部を大型化した場合にも、挿通孔への挿入作業を容易に行うことが可能となり、縦框への取付作業を煩雑化することなく、縦框からの脱落を防止できるようになる。
【図面の簡単な説明】
【００２２】
【図１−１】図１−１は、本発明の実施の形態１である縦框用のカバー装置を適用した障子の要部断面図である。
【図１−２】図１−２は、図１−１に示した障子においてカバー装置を傾斜させて係止突部の先端部を縦框の挿通孔及びインサート部材の装着孔に挿入している状態の要部断面図である。
【図２】図２は、図１−１に示した障子の要部破断斜視図である。
【図３】図３は、図１−１に示した障子の要部横断面図である。
【図４】図４は、図１−１に示した障子を用いた浴室用の開き戸を浴室側から見た要部斜視図である。
【図５】図５は、図１−１に示した障子を用いた浴室用の開き戸を脱衣室側から見た要部斜視図である。
【図６−１】図６−１は、図１−１に示した障子に用いるカバー装置のカバー部材を外表面側から見た斜視図である。
【図６−２】図６−２は、図１−１に示した障子に用いるカバー装置のカバー部材を内表面側から見た斜視図である。
【図７−１】図７−１は、図１−１に示した障子に用いるカバー部材の変形例を内表面側から見た斜視図である。
【図７−２】図７−２は、図７−１に示したカバー部材を外表面側から見た斜視図である。
【図８】図８は、本発明の実施の形態２である縦框用のカバー装置を適用した障子の要部断面図である。
【図９】図９は、本発明の実施の形態３である縦框用のカバー装置を適用した障子の要部断面図である。
【図１０】図１０は、本発明の実施の形態４である縦框用のカバー装置を適用した障子の要部断面図である。
【発明を実施するための形態】
【００２３】
以下、添付図面を参照しながら本発明に係る縦框用のカバー装置及び障子の好適な実施の形態１について詳細に説明する。
【００２４】
図１−１〜図３は、本発明の実施の形態１である縦框用のカバー装置を適用した障子を示したものである。ここで例示する障子１０は、図４及び図５に示すように、浴室と脱衣室との間の出入り口を開閉する浴室用の開き戸として用いられるもので、戸先側に位置する縦框（以下、「戸先框１１」という）の下端部にカバー装置２０が装着されている。
【００２５】
カバー装置２０の装着対象となる戸先框１１は、アルミニウムやアルミニウム合金製の押し出し形材によって一様な横断面形状を有するように構成したものである。本実施の形態１では、ほぼ矩形状の横断面を有した戸先框１１を適用しており、小口切りされた端部が戸先の下端部において下方に開口している。戸先框１１において戸先側に位置する戸先框壁１１ａには、戸先ヒレ１１ｂ，１１ｃ及び挿通孔１１ｄが設けてある。戸先ヒレ１１ｂ，１１ｃは、戸先框壁１１ａの両側縁部からそれぞれ見付け方向に沿って外方に突出した突部である。挿通孔１１ｄは、図には明示していないが、戸先框１１と下框１２との間を連結する連結ネジ（図示せず）を挿通させるとともに、連結ネジ（図示せず）を締結するための工具の先端部を挿入するための円形の開口である。
【００２６】
この戸先框１１に装着するカバー装置２０は、戸先框１１の下端開口を介して戸先框１１の内部に配設されるインサート部材１２０と、戸先框１１の戸先面及び下面を覆う位置に配設されるカバー部材２２０とを備えて構成してある。
【００２７】
インサート部材１２０は、比較的硬質の合成樹脂によって成形したもので、図１−１〜図３に示すように、戸先框１１の下端開口よりもわずかに小さい外形寸法に形成した角筒状を成し、上端が開口する一方、下端に底壁１２１を有している。このインサート部材１２０には、角筒状を成す部分の外表面に複数本の突条部１２２が設けてある。突条部１２２は、それぞれ上下方向に沿って形成した幅の小さい突出部であり、インサート部材１２０を戸先框１１の下端開口から内部に挿入した場合に、戸先框１１の内壁面に対して互いに圧接される寸法に形成してある。
【００２８】
インサート部材１２０の底壁１２１には、排水口１２３及びフック片１２４が設けてある。排水口１２３は、上下方向に貫通した開口であり、戸先框１１の内部を伝って底壁１２１の上面に水が浸入した場合に、この浸入水を外部に排出するためのものである。フック片１２４は、底壁１２１の下面から下方に突出した後、戸尻に向けて直角に屈曲するようにフック部１２４ａを形成した部分である。
【００２９】
インサート部材１２０において戸先框１１の戸先框壁１１ａに対向して配置される戸先内壁部１２５には、装着孔１２５ａが設けてある。装着孔１２５ａは、左右の幅が戸先框１１の挿通孔１１ｄとほぼ一致し、かつ上下に長い楕円形状を成すもので、インサート部材１２０を戸先框１１の内部に配設した場合に、その上縁の位置が挿通孔１１ｄの上縁とほぼ一致するように形成してある。
【００３０】
一方、カバー部材２２０は、比較的軟質の合成樹脂やゴム等の弾性材によって成形したもので、戸先框壁１１ａの戸先面を覆う側方カバー部２２１と、戸先框壁１１ａの下端面を覆う下方カバー部２２２とを有している。
【００３１】
側方カバー部２２１は、図３〜図６−２に示すように、戸先框１１に設けた戸先ヒレ１１ｂ，１１ｃの相互間隔よりも小さい幅を有し、かつ戸先框１１の下端から戸先框１１の挿通孔１１ｄを覆うに十分な高さを有した矩形状部分である。図からも明らかなように、側方カバー部２２１は、本来稜線となる部分を含めて全体を滑らかな面で構成し、異物が接触した場合の手掛かりとなる部分を減少させるようにしている。また、側方カバー部２２１の外表面には、欠肉部２２１ａが形成してある。欠肉部２２１ａは、側方カバー部２２１の外表面中央部に形成した凹状部分であり、側方カバー部２２１の外方への突出量を抑えて異物との接触機会を減少させるものである。この側方カバー部２２１には、戸先框１１の挿通孔１１ｄに対応する部位に係止突部２２３が設けてある。
【００３２】
係止突部２２３は、側方カバー部２２１において戸先框１１に対向する内表面から戸尻側に向けてほぼ水平に突設した基部２２３ａと、基部２２３ａの突出端部から上方に向けて突出した係止部２２３ｂとを有したもので、側面視が略Ｌ字状を成している。係止突部２２３の基部２２３ａは、戸先框１１の挿通孔１１ｄに挿通可能となる外径に形成した軸状部分である。基部２２３ａの突出長さは、係止突部２２３が無負荷状態にある場合において、戸先框壁１１ａの板厚とインサート部材１２０の戸先内壁部１２５の板厚との合計寸法よりもわずかに大きい長さに設定してある。係止突部２２３の係止部２２３ｂは、左右の幅が基部２２３ａと等しくなるように形成してあるが、基部２２３ａから上方へは大きく突出し、その上端が側方カバー部２２１の上端を超えて上方に位置している。
【００３３】
図１−１及び図１−２からも明らかなように、係止突部２２３において基部２２３ａと係止部２２３ｂとの接合部には、傾斜面２２３ｃが設けてある。傾斜面２２３ｃは、側方カバー部２２１の内表面から離隔するに従って漸次上方となるように傾斜したものである。この傾斜面２２３ｃを設けた係止突部２２３では、図１−２に示すように、側方カバー部２２１の内表面が下方に向くようにカバー部材２２０を傾斜させた場合に傾斜面２２３ｃがほぼ水平となるため、下方への突出量を減少させることができる。
【００３４】
カバー部材２２０の下方カバー部２２２は、側方カバー部２２１の下端部から側方に向けて突出した部分であり、側方カバー部２２１を戸先框１１の戸先面に当接させた場合に、戸先框壁１１ａの下面を覆うとともに、戸先面から突出する戸先ヒレ１１ｂ，１１ｃの下面を覆うように形成してある。この下方カバー部２２２には、サブ係止部２２２ａ及び止水ヒレ部２２２ｂが設けてある。
【００３５】
サブ係止部２２２ａは、下方カバー部２２２からさらに戸尻側に向けて突出し、インサート部材１２０に設けたフック片１２４を覆うように形成した部分である。このサブ係止部２２２ａには、係止孔２２２ｃが設けてある。係止孔２２２ｃは、サブ係止部２２２ａによってインサート部材１２０の下面を覆った場合にフック片１２４を挿通させ、フック片１２４のフック部１２４ａをサブ係止部２２２ａの下面に係止させるためのものである。
【００３６】
止水ヒレ部２２２ｂは、下方カバー部２２２の下面から下方に向けて突出し、下縁部が下枠１の上面に接触する薄板状部分であり、戸先框１１の戸先面に沿って延在している。図４及び図５に示すように、本実施の形態１では、下枠１の上面が浴室側に向けて漸次低くなるように傾斜しており、止水ヒレ部２２２ｂの下縁も下枠１の傾斜に沿って浴室側が漸次低くなるように傾斜している。
【００３７】
上記のように構成したカバー装置２０を戸先框１１の下端部に支持させるには、まず、戸先框１１の下端開口を介して戸先框１１の内部にインサート部材１２０を配設する。このとき、インサート部材１２０を戸先框１１の内部に圧入すれば、突条部１２２が戸先框１１の内壁面に圧接されることになり、戸先框１１に対して脱落することなくインサート部材１２０を取り付けることができる。
【００３８】
この状態から戸先框１１の挿通孔１１ｄ及びインサート部材１２０の装着孔１２５ａを介してカバー部材２２０の係止突部２２３を挿入し、その後、カバー部材２２０のサブ係止部２２２ａの係止孔２２２ｃにインサート部材１２０のフック片１２４を挿入すれば、係止突部２２３の係止部２２３ｂがインサート部材１２０の戸先内壁部１２５に係止されるとともに、フック片１２４のフック部１２４ａがサブ係止部２２２ａに係止され、カバー部材２２０を戸先框１１に支持させることができる。
【００３９】
上記のようにして戸先框１１の下端部にカバー装置２０を装着した障子１０によれば、小口切りされた戸先框壁１１ａの下面及び戸先面から突出する戸先ヒレ１１ｂ，１１ｃの下面がいずれも合成樹脂もしくは弾性材によって成形されたカバー部材２２０の下方カバー部２２２によって覆い隠されることになる。従って、戸先框１１の下端部に履き物の先端部やズボンの裾が接触した場合にも、履き物やズボンに損傷を来す恐れがなくなる。この場合、外部に露出する側方カバー部２２１は、欠肉部２２１ａによって薄肉化されているため、異物との接触機会が少ないとともに、外表面全体が滑らかな面で構成されているため、仮に異物に接触した場合にも捲れてしまう恐れが少なく、カバー部材２２０の脱落を招来することがない。
【００４０】
しかも、上述した障子１０においては、係止突部２２３として基部２２３ａから上方に向けて係止部２２３ｂが大きく突出したものを適用しているため、戸先框１１に対するカバー装置２０の装着力を向上させることができ、カバー部材２２０に外力が加えられた場合にも、カバー部材２２０が戸先框１１から容易に脱落する恐れはない。さらに、カバー部材２２０の下方カバー部２２２とインサート部材１２０との間においてもサブ係止部２２２ａとフック片１２４のフック部１２４ａとを係止させ、係止突部２２３の係止部２２３ｂとインサート部材１２０の戸先内壁部１２５との係止状態を解除する方向の移動を阻止するようにしているため、戸先框１１に対するカバー装置２０の装着力がより大きく向上されることになる。
【００４１】
ここで、係止突部２２３の係止部２２３ｂを単に大きな外形を有するように構成した場合には、大型化した係止部２２３ｂを挿通孔１１ｄに挿通させる操作が難しくなり、カバー装置２０の戸先框１１への取付作業が煩雑化する事態を招く恐れがある。しかしながら、上述した障子１０では、戸先框１１の挿通孔１１ｄ及びインサート部材１２０の装着孔１２５ａを介して係止突部２２３の係止部２２３ｂを戸先内壁部１２５に係止させるように構成しているため、カバー部材２２０においては側方カバー部２２１と係止突部２２３との間に戸先框１１とインサート部材１２０の戸先内壁部１２５との板厚を合計した寸法の距離を設定することができる。これにより、側方カバー部２２１に対して係止突部２２３の変形自由度が大きくなり、係止突部２２３を大型化した場合にも、挿通孔１１ｄへの挿入作業を容易に行うことが可能となり、戸先框１１への取付作業を煩雑化する事態を招来することがない。さらに、インサート部材１２０の戸先内壁部１２５については、障子１０の重量に大きな影響を与えることなく、その板厚を任意に設定することが可能である。従って、戸先内壁部１２５の板厚を大きく設定することで、側方カバー部２２１と係止突部２２３との間の距離をより大きく設定することも可能である。
【００４２】
また、上述の障子１０によれば、係止突部２２３において基部２２３ａと係止部２２３ｂとの接合部に傾斜面２２３ｃを設けているため、側方カバー部２２１の内表面が下方に向くようにカバー部を傾斜させ、係止突部２２３の係止部２２３ｂを戸先框１１の挿通孔１１ｄに挿入させれば、係止突部２２３が挿通孔１１ｄの投影域内に配置されるようになり、カバー装置２０の取付作業をより容易化することができるようになる。
【００４３】
このように上述した障子１０によれば、装着孔１２５ａを有したインサート部材１２０を戸先框１１の内部に配設しているため、カバー部材２２０の係止突部２２３が戸先框１１の挿通孔１１ｄ及びインサート部材１２０の装着孔１２５ａを介して戸先内壁部１２５に係止されてカバー部材２２０が戸先框１１に支持される。従って、側方カバー部２２１と係止突部２２３との間には、戸先框１１とインサート部材１２０の戸先内壁部１２５との板厚を合計した寸法の距離を確保することができる。これにより、側方カバー部２２１に対して係止突部２２３の変形自由度が大きくなり、係止突部２２３を大型化した場合にも、挿通孔１１ｄへの挿入作業を容易に行うことが可能となり、戸先框１１への取付作業を煩雑化することなく、戸先框１１からのカバー装置２０の脱落を確実に防止できるようになる。
【００４４】
尚、上述した実施の形態１では、カバー装置２０のカバー部材２２０として側方カバー部２２１が矩形状に成形されたものを例示しているが、図７−１及び図７−２に示す変形例のように、角部を無くして円弧状の外形を有するようにカバー部材２２０′を構成しても良い。この変形例によれば、異物に接触した場合の手掛かりとなる部分をさらに減らすことができ、戸先框１１からの脱落をより確実に防止することができる。図７−１及び図７−２に示す変形例において、実施の形態１と同様の構成に関しては、同一の符号を付して詳細説明を省略している。
【００４５】
また、上述した実施の形態１では、サブ係止手段として、インサート部材１２０の下面から下方に向けてフック片１２４を突設するとともに、カバー部材２２０の下方カバー部２２２にサブ係止部２２２ａを設け、サブ係止部２２２ａを介してインサート部材１２０のフック片１２４に下方カバー部２２２を係止させるものを例示したが、本発明はこれに限定されない。
【００４６】
例えば、図８に示す実施の形態２のように、インサート部材３２０の底壁３２１に係止孔３２０ａを設けてサブ係止部３２０ｂを構成するとともに、カバー部材４２０の下方カバー部４２２においてインサート部材３２０の下面に対向する部位から上方に向けてフック片４２４を突設してサブ係止手段を構成し、係止孔３２０ａに挿通したフック片４２４をサブ係止部３２０ｂに係止させることで下方カバー部４２２をインサート部材３２０に支持させるようにしても良い。
【００４７】
この場合、図９に示す実施の形態３のように、下方カバー部４２２に設けたフック片４２４をさらに戸尻側に向けて屈曲させ、インサート部材３２０において戸尻側に位置する戸尻内壁部３２１及び戸先框１１において戸尻側に位置する戸尻框壁１１ｅにフック片４２４を係止させるようにしても良い。
【００４８】
さらに、図１０の実施の形態４のように、下框１２の下方に臨む見込み面に係止孔１２ａを設けてサブ係止部１２ｂを構成するとともに、カバー部材５２０の下方カバー部５２２において下框１２に対向する部位から上方に向けてフック片５２４を突設してサブ係止手段を構成し、係止孔１２ａに挿通したフック片５２４をサブ係止部１２ｂに係止させることで下方カバー部５２２を下框１２に支持させるようにすることも可能である。
【００４９】
また、上述した実施の形態１では、浴室用の開き戸として用いられる障子を例示しているが、必ずしも浴室用のものに限らない。
【符号の説明】
【００５０】
１      下枠
１０      障子
１１      戸先框
１１ａ      戸先框壁
１１ｄ      挿通孔
１２      下框
１２ａ      係止孔
１２ｂ      サブ係止部
２０      カバー装置
１２０      インサート部材
１２４      フック片
１２５      戸先内壁部
１２５ａ      装着孔
２２０      カバー部材
２２１      側方カバー部
２２２      下方カバー部
２２２ａ      サブ係止部
２２２ｂ      止水ヒレ部
２２２ｃ      係止孔
２２３      係止突部
２２３ａ      基部
２２３ｂ      係止部
２２３ｃ      傾斜面
３２０      インサート部材
３２０ｂ      サブ係止部
４２０      カバー部材
４２２      下方カバー部
４２４      フック片
５２０      カバー部材
５２２      下方カバー部
５２４      フック片
【図１−１】
0005809600.tif 000002
【図１−２】
0005809600.tif 000003
【図２】
0005809600.tif 000004
【図３】
0005809600.tif 000005
【図４】
0005809600.tif 000006
【図５】
0005809600.tif 000007
【図６−１】
0005809600.tif 000008
【図６−２】
0005809600.tif 000009
【図７−１】
0005809600.tif 000010
【図７−２】
0005809600.tif 000011
【図８】
0005809600.tif 000012
【図９】
0005809600.tif 000013
【図１０】
0005809600.tif 000014